(57)【特許請求の範囲】
【請求項１】
用紙に印字を行うプリンタに搭載されて印字された用紙を切断する用紙切断装置に用いられ、固定刃を揺動可能に支持する固定刃支持装置であって、支持対象である固定刃は、Ｖ字形の刃先部を備えた可動刃に向かって刃幅中央が突出するように湾曲し、噛合方向に可動刃が駆動されることによって印字された用紙を切断するものである固定刃支持装置において、
固定刃を可動刃に向かう付勢方向に付勢する付勢手段と、前記付勢手段を介して配置された固定刃を揺動可能に支持する固定刃支持部材とを有し、
前記固定刃支持部材は、
前記付勢手段を介して固定刃が配置される基面部と、
前記基面部から固定刃の刃先部と反対側の根元部後方を塞ぐように前記付勢方向に延び、固定刃が前記噛合方向に離脱することを制限する立面部と、
前記立面部から固定刃の根元部の刃幅方向中央部に被さるように延び、固定刃が前記付勢方向に離脱することを制限するリテーナ部とを備え、
前記立面部は、固定刃の根元部を遊嵌する支持孔部を有していないことを特徴とする固定刃支持装置。
【請求項２】
前記固定刃支持部材と別体であって、該基面部と前記付勢手段としてのコイルばねとの間に取り付けられ、コイルばねの位置決めをなすばねホルダをさらに有し、
前記ばねホルダは、前記コイルばねを介して配置された固定刃の刃先部の刃幅方向両端部に被さり、前記固定刃支持部材の前記リテーナ部と共に固定刃が前記付勢方向に離脱することを制限する第２のリテーナ部を備えている請求項１に記載の固定刃支持装置。
【請求項３】
前記ばねホルダの前記第２のリテーナ部は、コイルばねを介して配置された固定刃の刃先部の刃幅方向両端部前方を塞ぎ、前記固定刃支持部材の前記立面部と共に固定刃が前記噛合方向に離脱することを制限する部分を含んでいる請求項２に記載の固定刃支持装置。
【請求項４】
前記固定刃支持部材が、刃幅方向中央部が可動刃に向かう方向に反っている固定刃を揺動可能に支持するものであると共に、コイルばねとして、固定刃の刃幅方向中央部ならびに刃幅方向両側に対応し、相互に同一形状を呈する奇数個のコイルばねを用いる固定刃支持装置であり、
前記ばねホルダは、固定刃の刃幅方向外側に対応するコイルばねから中央部に対応するコイルばねまで順次前記固定刃支持部材の前記基面部からの高さ位置が高くなるようなコイルばねの位置決め面を備えることにより、固定刃に対して付勢力を均一に印加するようになっている請求項２または３に記載の固定刃支持装置。
【請求項５】
請求項１乃至４のいずれか一項に記載の固定刃支持装置と、前記固定刃と、前記可動刃と、前記付勢手段とを有し、印字された用紙を介して前記固定刃に前記可動刃が前記噛合方向に噛み合うことによって用紙を切断することを特徴とする用紙切断装置。
【請求項６】
用紙に印字を行う構成と、請求項５に記載の用紙切断装置とを有することを特徴とするプリンタ。
【発明の詳細な説明】
【技術分野】
【０００１】
本発明は、ロール紙やラベルシート等の用紙に印字を行うプリンタに搭載され、印字された用紙を自動的に切断する用紙切断装置に関し、特に、用紙切断装置に用いられ、印字された用紙を可動刃と噛み合うことによって切断する固定刃を揺動可能に支持する固定刃支持装置に関する。
【背景技術】
【０００２】
この種の用紙切断装置は、固定刃ユニットと、可動刃ユニットとを有している。固定刃ユニットは、固定刃と、固定刃を揺動可能に支持する固定刃支持装置と、固定刃を可動刃に対して加圧する付勢手段とを有している。一方、可動刃ユニットは、可動刃と、駆動源に接続され、可動刃をストローク方向に駆動する駆動手段とを有している。プリンタ内において、固定刃および可動刃は、用紙通路における印字済みの用紙の表裏面を挟んで対向するように配置される。
【０００３】
固定刃支持装置を有する用紙切断装置の具体例は、例えば、特許文献１に開示されている。特許文献１に開示されたものに類似した用紙切断装置は、その要部のみを示す図１（ａ）および（ｂ）を参照すると、固定刃６２と、図示しない駆動手段によって駆動される可動刃２２と、固定刃６２を揺動可能に支持する固定刃支持部材６１と、固定刃６２を可動刃２２に対して加圧する図示しない付勢手段とを有している。後述する鋏の原理を利用した動作をするために、固定刃６２は可動刃２２に向かって中央が突出するように湾曲している一方、可動刃２２はＶ字形の刃先部を備え、ストローク方向Ｋに駆動される。尚、図１（ａ）および（ｂ）をも含め、本明細書に添付の幾つかの図面においては、説明の便宜上、各部材の大きさや形状を誇張的かつ概略的に描いている。
【０００４】
この用紙切断装置は、次のように動作する。固定刃６２と可動刃２２との間に搬送される用紙（図示せず）が一旦停止され、駆動手段によって可動刃２２がストローク方向Ｋに動く。可動刃２２がＶ字形の刃先部を備えている一方、固定刃６２が、可動刃２２に向かって湾曲していると共に付勢手段によって可動刃２２に対して圧接（噛み合わせ）状態にあるため、鋏の原理で用紙は切断される。切断された用紙は、プリンタ（図示せず）から排出される。
【０００５】
尚、固定刃６２の湾曲の度合いは、これが大きいほど、紙粉の発生が抑制される反面、可動刃２２の駆動手段への負荷が大きくなる。このため、紙粉低減と駆動手段への負荷軽減とのバランスを考慮して、固定刃６２の湾曲の度合いは設計される。
【０００６】
図２（ａ）および（ｂ）に示されるように、固定刃６２は、付勢手段６３によって可動刃２２に向かう向きに付勢されている。ここで、固定刃６２の刃先部の反対側の根元部における刃幅方向の両端には、突出部６２ｂが形成されている。一方、固定刃支持部材６１には、固定刃６２の突出部６２ｂが挿入される角孔状の支持孔部６１ｃが形成されている。固定刃６２の突出部６２ｂが固定刃支持部材６１の支持孔部６１ｃに遊嵌され、固定刃６２は支持孔部６１ｃを支点として揺動可能に固定刃支持部材６１によって支持される。尚、突出部６２ｂの支持孔部６１ｃへの遊嵌は、付勢手段６３によって付勢された固定刃６２が固定刃支持部材６１から離脱することを防ぐことにも働いている。
【先行技術文献】
【特許文献】
【０００７】
【特許文献１】特開２００１−３４７４８５号公報
【発明の概要】
【発明が解決しようとする課題】
【０００８】
図１および図２に示された用紙切断装置において、固定刃６２は固定刃支持部材６１によって揺動可能に支持されるが、実際には、固定刃６２の揺動支点としての突出部６２ｂ自体も固定刃６２と可動刃２２との噛み合い時に変位する。即ち、図３（ａ）に示されるように固定刃６２に対して可動刃（図示せず）が図中上方から噛み合い始める初期段階から、図３（ｂ）に示されるように固定刃６２に対する可動刃の上方からの噛み合いが進行すると、固定刃６２が図中下方に揺動すると共に、固定刃６２の突出部６２ｂも固定刃支持部材６１の支持孔部６１ｃ内において図中下方に変位する。
【０００９】
ところが、固定刃支持部材６１の支持孔部６１ｃは、その角孔寸法、即ち、図中の左右方向および上下方向の孔壁面の位置が規定されているため、図３（ｂ）に示されるように固定刃６２に対する可動刃の噛み合いが進行した場合に、固定刃６２の突出部６２ｂが固定刃支持部材６１の支持孔部６１ｃの孔壁面に突き当たり、可動刃の圧接力の逃げ場が無くなる。この結果、前述のように適宜の湾曲の度合いで設計されている固定刃６２が潰される（湾曲の度合いが小さくなる）ことになる。その場合、鋏の原理を利用した用紙切断装置の正常な切断動作が阻害されると共に、紙粉の発生量が増えることになり、好ましくない。
【００１０】
それ故、本発明の課題は、可動刃との噛み合い時に固定刃の変形を招来することなく固定刃を揺動可能に支持することができる固定刃支持装置を提供することである。
【００１１】
本発明の他の課題は、上記のような固定刃支持装置を有し、正常な切断動作を実行することができる用紙切断装置を提供することである。
【００１２】
本発明の他の課題は、上記のような用紙切断装置を有するプリンタを提供することである。
【課題を解決するための手段】
【００１３】
本発明によれば、用紙に印字を行うプリンタに搭載されて印字された用紙を切断する用紙切断装置に用いられ、噛合方向に可動刃が噛み合うことによって印字された用紙を切断する固定刃を揺動可能に支持する固定刃支持装置において、固定刃を可動刃に向かう付勢方向に付勢する付勢手段と、前記付勢手段を介して配置された固定刃を揺動可能に支持する固定刃支持部材とを有し、前記固定刃支持部材は、前記付勢手段を介して固定刃が配置される基面部と、前記基面部から固定刃の刃先部と反対側の根元部後方を塞ぐように前記付勢方向に延び、固定刃が前記噛合方向に離脱することを制限する立面部と、前記立面部から固定刃の根元部に被さるように延び、固定刃が前記付勢方向に離脱することを制限するリテーナ部とを備えている固定刃支持装置が得られる。
【００１４】
前記固定刃支持部材の前記リテーナ部は、固定刃の刃幅方向中央部に被さるように形成されていてもよい。
【００１５】
前記固定刃支持部材と別体であって、該基面部と前記付勢手段としてのコイルばねとの間に取り付けられ、コイルばねの位置決めをなすばねホルダをさらに有し、前記ばねホルダは、前記コイルばねを介して配置された固定刃の刃先部の刃幅方向両端部に被さり、前記固定刃支持部材の前記リテーナ部と共に固定刃が前記付勢方向に離脱することを制限する第２のリテーナ部を備えていてもよい。
【００１６】
前記ばねホルダの前記第２のリテーナ部は、コイルばねを介して配置された固定刃の刃先部の刃幅方向両端部前方を塞ぎ、前記固定刃支持部材の前記立面部と共に固定刃が前記噛合方向に離脱することを制限する部分を含んでいてもよい。
【００１７】
前記固定刃支持部材が、刃幅方向中央部が可動刃に向かう方向に反っている固定刃を揺動可能に支持するものであると共に、コイルばねとして、固定刃の刃幅方向中央部ならびに刃幅方向両側に対応し、相互に同一形状を呈する奇数個のコイルばねを用いる固定刃支持装置であり、前記ばねホルダは、固定刃の刃幅方向外側に対応するコイルばねから中央部に対応するコイルばねまで順次前記固定刃支持部材の前記基面部からの高さ位置が高くなるようなコイルばねの位置決め面を備えることにより、固定刃に対して付勢力を均一に印加するようになっていてもよい。
【００１８】
本発明によればまた、前記固定刃支持装置と、前記固定刃と、前記可動刃と、前記付勢手段とを有し、印字された用紙を介して前記固定刃に前記可動刃が前記噛合方向に噛み合うことによって用紙を切断することを特徴とする用紙切断装置が得られる。
【００１９】
本発明によればさらに、用紙に印字を行う構成と、前記用紙切断装置とを有することを特徴とするプリンタが得られる。
【発明の効果】
【００２０】
本発明による固定刃支持装置は、可動刃との噛み合い時に固定刃の変形を招来することなく固定刃を揺動可能に支持することができる。
【図面の簡単な説明】
【００２１】
【図１】（ａ）および（ｂ）は、本発明の関連技術としての用紙切断装置の要部を示す斜視図である。
【図２】（ａ）および（ｂ）は、本発明の関連技術としての固定刃支持装置を示す斜視図および断面図である。
【図３】（ａ）および（ｂ）は、本発明の関連技術としての固定刃支持装置を示す正面図である。
【図４】本発明の実施例による固定刃支持装置を有する用紙切断装置を搭載したプリンタを示す図である。
【図５】（ａ）および（ｂ）は、本発明の実施例による固定刃支持装置を示す斜視図および断面図である。
【図６】本発明の実施例による固定刃支持装置を示す斜視図である。
【図７】本発明の実施例による固定刃支持装置を示す分解斜視図である。
【図８】本発明の実施例による固定刃支持装置の要部を示す部分的な斜視図である。
【図９】本発明の実施例による固定刃支持装置を示す断面図である。
【図１０】（ａ）および（ｂ）は、本発明の実施例による用紙切断装置を示す斜視図である。
【図１１】（ａ）および（ｂ）は、本発明の実施例による固定刃支持装置を示す正面図である。
【発明を実施するための形態】
【００２２】
本発明による固定刃支持装置は、用紙に印字を行うプリンタに搭載されて印字された用紙を切断する用紙切断装置に用いられ、噛合方向に可動刃が噛み合うことによって印字された用紙を切断する固定刃を揺動可能に支持するものである。
【００２３】
本固定刃支持装置は、固定刃を可動刃に向かう付勢方向に付勢する付勢手段と、付勢手段を介して配置された固定刃を揺動可能に支持する固定刃支持部材とを有している。
【００２４】
特に、固定刃支持部材は、基面部と、立面部と、リテーナ部とを備えている。基面部は、これに付勢手段を介して固定刃が配置されるものである。立面部は、基面部から固定刃の刃先部と反対側の根元部後方を塞ぐように付勢方向に延び、固定刃が噛合方向に離脱することを制限する。リテーナ部は、立面部から固定刃の根元部に被さるように延び、固定刃が付勢方向に離脱することを制限する。
【００２５】
本発明による固定刃支持装置は、可動刃との噛み合い時に固定刃の変形を招来することなく固定刃を揺動可能に支持することができる。
【００２６】
即ち、本固定刃支持装置は、リテーナ部が付勢方向のうちの付勢力の正方向に固定刃が離脱することを制限するのみであるため、可動刃との噛み合い時に固定刃が揺動するのに加えて根元部を含む全体が付勢方向のうちの付勢力（圧接力）に抗う向きに変位したときに、固定刃は、付勢力に抗う向き、ならびに、刃幅方向のいずれにも規制されることがない。この結果、適宜の湾曲の度合いで設計されている固定刃は、潰されるなどの変形を来たすことがない。よって、固定刃と可動刃とによる鋏の原理を利用した用紙切断装置の正常な切断動作が実現されると共に、紙粉の発生量が増えることもない。
【００２７】
以下、図面を参照して、本発明による固定刃支持装置、用紙切断装置、およびプリンタの実施例を説明する。
【実施例】
【００２８】
本発明の実施例の用紙切断装置は、ロール紙やラベルシート等の用紙に印字を行うプリンタに搭載され、印字された用紙を自動的に切断する装置である。また、本発明の実施例による固定刃支持装置は、前記のような用紙切断装置に用いられ、印字された用紙を可動刃と噛み合うことによって切断する固定刃を揺動可能に支持する装置である。さらに、本発明の実施例によるプリンタは、用紙に印字を行う構成と、前記のような用紙切断装置とを有するものである。
【００２９】
図４を参照すると、本発明の実施例のプリンタは、ロール紙Ｓ１が装填される下フレーム１１０と、下フレーム１１０を開放自在に覆蓋する上フレーム１２０と、下フレーム１１０に搭載され、ロール紙Ｓ１から用紙Ｓを図中左向きに繰り出すプラテン１３０と、プラテン１３０の周面上の用紙Ｓに対して印字を行う例えばサーマルタイプの印字ヘッド１４０とを有している。
【００３０】
本プリンタはさらに、印字がなされた用紙Ｓを切断する用紙切断装置１６０と、本プリンタの動作を司る下フレーム１１０内に組み込まれた制御基板１５０とを有している。
【００３１】
用紙切断装置１６０は、上フレーム１２０に取り付けられ、固定刃１２を備えた固定刃ユニット１０と、固定刃ユニット１０の下方に印字がなされたロール紙Ｓを介して対向するように下フレーム１１０に取り付けられ、可動刃２２を備えた可動刃ユニット２０とによって構成されている。
【００３２】
固定刃ユニット１０は、固定刃支持部材１１を有する固定刃支持装置と、固定刃支持部材１１に支持された固定刃１２と、固定刃１２を可動刃２２に対して加圧する付勢手段としてのコイルばね１３とを有している。
【００３３】
可動刃ユニット２０は、可動刃ハウジング２１と、可動刃ハウジング２１内にて噛合方向（ストローク方向）Ｋに可動に支持された可動刃２２と、可動刃２２に取り付けられた図示しないラックと、図示しない駆動源に接続され、ラックおよび可動刃２２をストローク方向Ｋに駆動する図示しないピニオンギアとを有している。
【００３４】
尚、鋏の原理を利用した動作をするために、固定刃１２は可動刃２２に向かって中央が突出するように湾曲している（反っている）一方、可動刃２２はＶ字形の刃先部を備えている。固定刃１２は、用紙切断時に発生する紙粉の低減と、可動刃２２の駆動手段への負荷の軽減とのバランスを考慮して、適宜の度合いで湾曲している。
【００３５】
図５（ａ）および（ｂ）ならびに図６を参照すると、本固定刃支持装置は、固定刃１２を可動刃２２に向かう付勢方向に付勢する付勢手段としてのコイルばね１３と、コイルばね１３を介して配置された固定刃１２を揺動可能に支持する固定刃支持部材１１とを有している。
【００３６】
特に図５（ａ）および（ｂ）に示されるように、固定刃支持部材１１は、基面部１１ａと、立面部１１ｂと、リテーナ部１１ｃとを備えている。
【００３７】
基面部１１ａは、これにコイルばね１３を介して固定刃１２が配置されるものである。
【００３８】
立面部１１ｂは、基面部１１ａはから固定刃１２の刃先部と反対側の根元部後方を塞ぐように付勢方向に延び、固定刃１２が可動刃との噛合方向に離脱することを制限する。
【００３９】
リテーナ部１１ｃは、立面部１１ｂから固定刃１２の根元部に被さるように延び、固定刃１２が付勢方向に離脱することを制限する。本実施例において、リテーナ部１１ｃは、固定刃１２の刃幅方向中央部に被さるように形成されている。
【００４０】
図７〜図９をさらに参照すると、本固定刃支持装置はさらに、ばねホルダ１４を有している。
【００４１】
ばねホルダ１４は、固定刃支持部材１１と別体であって、固定刃支持部材１１の基面部１１ａとコイルばね１３との間に取り付けられ、コイルばね１３の位置決めをなす部材である。
【００４２】
特に図８に示されるように、ばねホルダ１４は、コイルばね１３を介して配置された固定刃１２の刃先部の刃幅方向両端部に被さり、固定刃支持部材のリテーナ部１１ｃと共に固定刃１２が付勢方向に離脱することを制限する第２のリテーナ部１４ｃを備えている。第２のリテーナ部１４ｃは、コイルばね１３を介して配置された固定刃１２の刃先部の刃幅方向両端部前方を塞ぎ、固定刃支持部材１１の立面部１１ｂと共に固定刃１２が噛合方向に離脱することを制限する部分をも含んでいる。
【００４３】
ここで、固定刃支持部材１１は、刃幅方向中央部が可動刃２２に向かう方向に反っている固定刃１２を揺動可能に支持するものである。そして、コイルばねとしては、固定刃１２の刃幅方向中央部ならびに刃幅方向両側に対応し、相互に同一形状を呈する奇数個（本実施例においては、３個）のコイルばね１３が用いられている。
【００４４】
特に図９に示されるように、ばねホルダ１４は、固定刃１２の刃幅方向外側に対応するコイルばね１３から中央部に対応するコイルばね１３まで順次、固定刃支持部材１１の基面部１１ａからの高さ位置が高くなるようなコイルばねの位置決め面を備えている。これにより、適宜の湾曲の度合いで設計されている固定刃１２に対して付勢力が均一に印加される。
【００４５】
次に、本固定刃支持装置の動作を説明する。
【００４６】
固定刃１２は、固定刃支持部材のリテーナ部１１ｃによって揺動可能に支持されるが、実際には、揺動支点としての根元部を含む固定刃１２全体も、可動刃２２との噛み合い時に変位する。即ち、図１０（ａ）、図１１（ａ）に示されるように固定刃１２に対して可動刃２２（図１０（ａ）のみに図示）が噛み合い始める初期段階から、図１０（ｂ）、図１１（ｂ）に示されるように固定刃１２に対する可動刃２２（図１０（ｂ）のみに図示）の噛み合いが進行すると、固定刃１２は、揺動すると共に、根元部を含む固定刃１２全体も、付勢方向（圧接方向）のうちの付勢力に抗う向きに変位する。
【００４７】
ここで、本固定刃支持装置は、リテーナ部１１ｃが付勢方向のうちの付勢力の正方向に固定刃１２が離脱することを制限するのみであるため、固定刃１２は、付勢方向のうちの付勢力に抗う向き、ならびに、刃幅方向のいずれにも規制されることがない。この結果、適宜の湾曲の度合いで設計されている固定刃１２は、潰されるなどの変形を来たすことがない。よって、可動刃の駆動手段の駆動力としては、固定刃の潰されるなどの変形による負荷の増大を考慮する必要がなく、固定刃の湾曲の度合いによるものだけを考慮すればよいため、比較的小さいものとすることができる。また、固定刃１２と可動刃２２とによる鋏の原理を利用した本用紙切断装置の正常な切断動作が実現され、紙粉の発生量が増えることもない。
【００４８】
尚、上記実施例においては、コイルばねを付勢手段として用いたが、板ばね等の他の付勢手段を用いてもよい。
【産業上の利用可能性】
【００４９】
以上、本発明の実施例について説明してきたが、本発明はこれら実施例に限定されるものではなく、本願特許請求の範囲に記載された技術範囲内であれば、種々の変形が可能であることは云うまでもない。
【符号の説明】
【００５０】
１０    固定刃ユニット
１１    固定刃支持部材
１１ａ  基面部
１１ｂ  立面部
１１ｃ  リテーナ部
１２    固定刃
１３    コイルばね
１４    ばねホルダ
１４ｃ  第２のリテーナ部
２０    可動刃ユニット
２１    可動刃ハウジング
２２    可動刃
６１    固定刃支持部材
６１ｃ  支持孔部
６２    固定刃
６２ｂ  突出部
６３    付勢手段
１１０    下フレーム
１２０    上フレーム
１３０    プラテン
１４０    印字ヘッド
１５０    回路基板
１６０    用紙切断装置
【要約】
【課題】可動刃との噛み合い時に固定刃の変形を招来することなく固定刃を揺動可能に支持することができる固定刃支持装置を提供する。
【解決手段】付勢手段と、固定刃支持部材１１とを有している。固定刃支持部材１１は、基面部１１ａと、立面部１１ｂと、リテーナ部１１ｃとを備えている。立面部１１ｂは、基面部１１ａはから固定刃１２の刃先部と反対側の根元部後方を塞ぐように付勢方向に延び、固定刃１２が可動刃との噛合方向に離脱することを制限する。リテーナ部１１ｃは、立面部１１ｂから固定刃１２の根元部に被さるように延び、固定刃１２が付勢方向に離脱することを制限する。
【選択図】図５【図１】
0004839494.tif 000002
【図２】
0004839494.tif 000003
【図３】
0004839494.tif 000004
【図４】
0004839494.tif 000005
【図５】
0004839494.tif 000006
【図６】
0004839494.tif 000007
【図７】
0004839494.tif 000008
【図８】
0004839494.tif 000009
【図９】
0004839494.tif 000010
【図１０】
0004839494.tif 000011
【図１１】
0004839494.tif 000012